(57)【要約】【課題】  傘カバーを紛失する虞がなく、傘カバーが傘を差すときの邪魔にならない傘カバー付き傘を提供する。【解決手段】  両端が開口し可撓性を有する傘カバー３と、傘２とを備え、傘２の先端部２３が傘カバー３の一端側の開口部３１に挿通されて、先端部２３が開口部３１から抜脱不可能とされ、傘２の傘布部２１の表側に、被係止部２５が設けられ、傘カバー３の周壁部３３の裏側に、被係止部２５に係止可能な係止部３４が設けられ、傘２を閉じた状態で、周壁部３３を傘２の柄２４側に伸張させることにより、傘布部２１が傘カバー３で略覆われて、係止部３４が被係止部２５に略対向する位置に配置される傘カバー付き傘１。【選択図】  図３
2005270357.tif 000002
【特許請求の範囲】
【請求項１】
両端が開口し可撓性を有する傘カバーと、傘とを備え、
前記傘の先端部が前記傘カバーの一端側の開口部に挿通されて、前記先端部が前記開口部から抜脱不可能とされ、
前記傘の傘布部の表側に、被係止部が設けられ、
前記傘カバーの周壁部の裏側に、前記被係止部に係止可能な係止部が設けられ、
前記傘を閉じた状態で、前記周壁部を前記傘の柄側に伸張させることにより、前記傘布部が前記傘カバーで略覆われて、前記係止部が前記被係止部に略対向する位置に配置されることを特徴とする傘カバー付き傘。
【発明の詳細な説明】
【技術分野】
【０００１】
本発明は、傘カバーを紛失する虞のない傘カバー付き傘に関する。
【背景技術】
【０００２】
従来、傘と傘カバーは、別々になっており、傘を差す場合には、傘カバーは傘から外して、別に所持したり、傘の柄に結び付けておいたりしていた。
【０００３】
なお、先行技術文献調査は行っていないので、記載すべき先行技術文献情報は無い。
【発明の開示】
【発明が解決しようとする課題】
【０００４】
しかし、傘カバーを別に所持した場合には、紛失し易いという問題があった。また、柄に結び付けておいた場合には、抜け落ちたり解けたりして紛失し易く、さらに、柄を把持して傘を差すときの邪魔になるという問題があった。
【０００５】
この発明は、上述した問題を解決するものであり、傘カバーを紛失する虞がなく、傘カバーが傘を差すときの邪魔にならない傘カバー付き傘を提供することを目的とする。
【課題を解決するための手段】
【０００６】
本発明の傘カバー付き傘は、両端が開口し可撓性を有する傘カバーと、傘とを備え、前記傘の先端部が前記傘カバーの一端側の開口部に挿通されて、前記先端部が前記開口部から抜脱不可能とされ、前記傘の傘布部の表側に、被係止部が設けられ、前記傘カバーの周壁部の裏側に、前記被係止部に係止可能な係止部が設けられ、前記傘を閉じた状態で、前記周壁部を前記傘の柄側に伸張させることにより、前記傘布部が前記傘カバーで略覆われて、前記係止部が前記被係止部に略対向する位置に配置されることを特徴とする。
【発明の効果】
【０００７】
本発明の傘カバー付き傘によれば、傘布部から傘カバーを外しても、傘の先端部が傘カバーの一端側の開口部から抜脱しないので、傘カバーと傘とが別々にならず、傘カバーを紛失する虞がない。そして、周壁部を裏返すようにして傘布部から傘カバーを外せば、周壁部の裏側に設けられた係止部が表側に現れ、その係止部を傘布部の被係止部に留めることができて、傘カバーを傘の先端部から傘布部にかけて取着することができるので、傘カバーが邪魔になることが無い。
【発明を実施するための最良の形態】
【０００８】
以下、本発明の一実施形態を図面に基づいて説明する。図１〜図４に示すように、本実施形態の傘カバー付き傘１は、傘２と、傘カバー３とを備えている。
【０００９】
傘２は、防水性乃至撥水性を有する傘布で構成された傘布部２１と、傘布部２１の中央に配設された軸部２２と、軸部２２の一端側に設けられ石突２６を備えた先端部２３と、軸部２３の他端側に連結された柄２４とを備えている。
【００１０】
傘布部２１の周縁部２１ａ付近の表側には、被係止部２５が設けられている。被係止部２５は、本実施形態では、ホック（スナップ）の凹型部である。なお、傘２を差したときに雨を受ける側を、傘布部２１の表側とする。
【００１１】
傘カバー３は、可撓性を有するとともに、防水性乃至撥水性を有する布地（例えば撥水加工したナイロン等）で、図２に示すように、両端が開口したテーパ状（本実施形態では、一端側の開口部３１よりも他端側の開口部３２が大径）の略筒形状に形成されている。そして、図１に示すように、開口部３１には傘２の先端部２３が挿通されて、先端部２３は開口部３１から抜脱不可能とされている。本実施形態では、石突２６を外した状態の先端部２３を開口部３１に挿通後、開口部３１より大径の石突２６を先端部２３に取着することにより、先端部２３が開口部３１から抜脱不可能とされている。
【００１２】
傘カバー３の周壁部３３の裏側には、開口部３２付近に、被係止部２５に係止可能な係止部３４が設けられている。係止部３４は、本実施形態では、ホック（スナップ）の凸型部である。なお、傘カバー３においては、図１に示すように傘カバー３で傘布部２１を覆った状態における表側を表側とし、その反対側を裏側とする。係止部３４は、傘カバー３で傘布部２１を覆ったときに、被係止部２５に略対向する位置に設けられている。すなわち、本実施形態では、周壁部３３を柄２４側に伸張させた状態（図１の状態）での開口部３１から係止部３４までの軸２２方向における長さと、開口部３１の傘２における配置位置（本実施形態では、石突２６の柄２４側の端）から被係止部２５までの軸２２方向における長さとは、略同じとされている。係止部３４には、周壁部３３を挟むように頭部３５が連結されており、頭部３５は、図１及び図２に示すように、傘カバー３の表側に現れる。
【００１３】
また、傘カバー３は、周壁部３３を伸長させたときの軸２２方向における長さが、傘２を閉じた状態での傘布部２１の軸２２方向における長さよりも若干長くなるように構成されている。
【００１４】
以上のように構成された傘カバー付き傘１の作用について、次に説明する。図１に示すように傘カバー３で傘布部２１を覆った状態から、傘２を差す場合には、図３に示すように、傘カバー３の周壁部３３を裏返しにしつつ、傘布部２１から周壁部３３を外していく。すると、やがては、図４に示すように、周壁部３３が完全に裏返り、係止部３４が表側に現れている状態となる。
【００１５】
かかる状態で、傘カバー３を被係止部２５に向かって折り返せば、係止部３４を被係止部２５に略対向する位置に配置できるので、係止部３４を被係止部２５に係止すれば、傘カバー３は、傘２の先端部２３から傘布部２１の周縁部２１ａ付近にかけて、傘２の表側（雨を受ける側）に、略伸張した状態で取着されることとなる。そして、かかる状態で、傘２を差せば、図５及び図６に示すような状態となる。
【００１６】
一方、傘２を閉じて傘カバー３を掛けるときには、傘２を閉じ、係止部３４を被係止部２５から外して、図３に示すように、裏返しになった傘カバー３を元に戻しつつ、傘布部２１に傘カバー３を掛けていき、周壁部３３を柄２４側に伸張させると、傘布部２１は傘カバー３で覆われ、係止部３４が被係止部２５と対向する位置に来る。そこで、係止部３４を被係止部２５に係止すれば、傘カバー３は傘２からずり落ちることが無くなる。
【００１７】
以上のように、傘カバー付き傘１によれば、傘２を差すときには、傘カバー３を傘２の表側に取着できるで、傘カバー３を紛失する虞がなく、例えば柄２４に結びつけたときのように傘カバー３が邪魔になることがない。また、傘カバー３は、略伸張した状態で取着されるので、揺動したり絡んだりすることがない。さらに、傘２を差しているとき、傘カバー３の表側は内側にされて雨に殆ど当たらないので、再び傘カバー３を傘２に掛けたときに、傘カバー３の殆ど濡れていない側が表に現れることとなり、周りの人や物を濡らしてしまう虞が少ない。そして、傘カバー３を掛けたときには、係止部３４が被係止部２５に略対向する位置に来るので、係止部３４を被係止部２５に係止すれば、傘カバー３が傘２からずり落ちることが無くなる。さらに、傘カバー付き傘１は、構成が簡単であるので、製造容易で安価に製造可能である。
【００１８】
なお、本実施形態では、傘カバー３をテーパ状の略筒形状としたが、傘布部２１を巻いてから傘カバー３で覆うような場合には、傘カバー３を、開口部３１と開口部３２とが略同径の略筒形状としてもよい。
【００１９】
また、本実施形態では、開口部３１に石突２６を外した状態の先端部２３を挿通してから、先端部２３に石突２６を取着することにより、開口部３１から先端部２３が抜脱しないようにしたが、開口部３１を最初は石突２６よりも大径とし、石突２６を取着した状態の先端部２３を開口部３１に挿通後、開口部３１の径を石突２６の径より小さく縮めることにより、開口部３１から先端部２３が抜脱しないようにしてもよい。また、開口部３１の周囲を先端部２３に固着する（例えば、接着剤で接着する）ことにより、開口部３１から先端部２３が抜脱しないようにしてもよい。
【００２０】
また、傘カバー３に水抜き穴を設けてもよい。例えば周壁部３３の開口部３１付近に水抜き穴を設ければ、傘２が濡れた状態で傘カバー３を掛けたときに、傘カバー３内に溜まる水を抜くことができる。この水抜き穴は、図５の状態における傘カバー３の内側への雨の浸入を防止するため、図５の状態における傘カバー３の傘布部２１に接する側に設けることが望ましい。
【００２１】
なお、開口部３１周縁と先端部２３との間に若干の隙間を設けてもよく、傘２が濡れた状態で傘カバー３を掛けたときに、傘カバー３内に溜まる水をその隙間から抜くことができる。
【００２２】
すなわち、特許請求の範囲を逸脱しない範囲で、本発明は種々の構成を採り得る。
【図面の簡単な説明】
【００２３】
【図１】本発明の一実施形態である傘カバー付き傘の、傘カバーを掛けた状態の側面図である。
【図２】同傘カバー付き傘の、傘カバーの斜視図である。
【図３】同傘カバー付き傘の、傘カバーを外す途中の状態の側面図である。
【図４】同傘カバー付き傘の、傘カバーを外した状態の側面図である。
【図５】同傘カバー付き傘の、傘を差した状態の平面図である。
【図６】同傘カバー付き傘の、傘を差した状態の側面図である。
【符号の説明】
【００２４】
１…傘カバーつき傘
２…傘
３…傘カバー
２１…傘布部
２３…先端部
２４…柄
２５…被係止部
３１、３２…開口部
３３…周壁部
３４…係止部
【図１】
2005270357.tif 000003
【図２】
2005270357.tif 000004
【図３】
2005270357.tif 000005
【図４】
2005270357.tif 000006
【図５】
2005270357.tif 000007
【図６】
2005270357.tif 000008